(57)【要約】【課題】グループに関する情報を容易に把握できるようにする。【解決手段】システムコントローラ９は、ディスク１から、Ｕ−ＴＯＣ情報を読み込み、グループ情報に関するデータが記録されている場合、このデータからグループ情報を抽出し、抽出したグループ情報をバッファメモリ１２に書き込む。ディスク１に記録されたユーザデータを再生する場合、システムコントローラ９は、バッファメモリ１２からグループ情報を読み込み、解析してグループ内曲数を求め、求めたグループ内曲数を表示部１１に表示させる。【選択図】図１
2006190465.tif 000002
【特許請求の範囲】
【請求項１】
複数のファイルがフォルダ毎にグループ化されて記録された記録媒体から、前記ファイルのデータを読み出し、読み出したファイルのデータを再生する再生装置において、
前記記録媒体のすべてのフォルダを取得するフォルダ取得手段と、
前記フォルダ取得手段が取得したすべてのフォルダのフォルダ内ファイル数を取得するファイル数取得手段と、
前記ファイル数取得手段が取得した各フォルダ内ファイル数に基づいて、各フォルダの再生順を設定する再生順設定手段と、
前記再生順設定手段が設定した各フォルダの再生順に従ってフォルダ毎に、前記複数のファイルのデータを再生する再生手段と、を備えた、
ことを特徴とする再生装置。
【請求項２】
前記フォルダ取得手段が取得したすべてのフォルダと前記ファイル数取得手段が取得したすべてのフォルダのフォルダ内ファイル数とを記憶するための記憶手段を備えた、
ことを特徴とする請求項１に記載の再生装置。
【請求項３】
複数の記録情報がグループ毎にグループ化されて記録された記録媒体から、前記記録情報を読み出し、読み出した記録情報を再生する再生装置において、
前記記録媒体のすべてのグループを取得するグループ取得手段と、
前記グループ取得手段が取得したすべてのグループのグループ内記録情報数を取得する記録情報数取得手段と、
前記記録情報数取得手段が取得した各グループ内記録情報数に基づいて、各グループの再生順を設定する再生順設定手段と、
前記再生順設定手段が設定した各グループの再生順に従ってグループ毎に、前記複数の記録情報を再生する再生手段と、を備えた、
ことを特徴とする再生装置。
【請求項４】
複数のファイルがフォルダ毎にグループ化されて記録された記録媒体から、前記ファイルのデータを読み出し、読み出したファイルのデータを再生する再生装置において、
前記記録媒体のすべてのフォルダを取得するステップと、
取得したすべてのフォルダのフォルダ内ファイル数を取得するステップと、
取得したフォルダ内ファイル数に基づいて各フォルダの再生順を設定するステップと、
設定した各フォルダの再生順に従ってフォルダ毎に、前記複数のファイルのデータを再生するステップと、を備えた、
ことを特徴とする再生装置のデータ再生方法。
【請求項５】
コンピュータに、
複数のファイルがフォルダ毎にグループ化されて記録された記録媒体から、すべてのフォルダを取得する手順、
取得したすべてのフォルダのフォルダ内ファイル数を取得する手順、
取得したフォルダ内ファイル数に基づいて、各フォルダの再生順を設定する手順、
設定した各フォルダの再生順に従ってフォルダ毎に、前記複数のファイルのデータを再生する手順、
を実行させるためのプログラム。
【発明の詳細な説明】
【技術分野】
【０００１】
本発明は、再生装置、再生装置のデータ再生方法及びプログラムに関するものである。
【背景技術】
【０００２】
ＭＤＬＰ（MiniDisc Long-Play Mode）においては、新たにグループ管理機能が考えられ、この機能を追加するように推奨されている。
【０００３】
このグループ管理機能は、ミニディスク（ＭＤ：Mini Disc〜商標）に記録されている楽曲等の記録情報をグループ化し、ディスク上のトラック情報をグループ（フォルダ）単位でサーチできるようにしたものである。
【０００４】
このグループ管理機能と同様の機能としては、ＭＰ３プレ−ヤのフォルダサーチ機能がある。この機能では、グループをサーチしたり再生したりする場合に、そのフォルダの番号又はタイトルを表示するようにしたものである。
【発明の開示】
【発明が解決しようとする課題】
【０００５】
しかしながら、かかる従来の再生装置では、表示されるのが、フォルダ番号又はタイトルといったグループ情報だけであり、グループ情報には、そのグループにどれだけのユーザデータが含まれているかという情報はない。従って、グループ内のユーザデータを把握することができないし、ユーザが希望するグループを探すのにも不便であった。
【０００６】
本発明は、このような従来の問題点に鑑みてなされたもので、グループに関する情報を容易に把握することが可能な再生装置、記録媒体のグループ情報表示方法及びプログラムを提供することを目的とする。
【課題を解決するための手段】
【０００７】
この目的を達成するため、本発明の第１の観点に係る再生装置は、
複数のファイルがフォルダ毎にグループ化されて記録された記録媒体から、前記ファイルのデータを読み出し、読み出したファイルのデータを再生する再生装置において、
前記記録媒体のすべてのフォルダを取得するフォルダ取得手段と、
前記フォルダ取得手段が取得したすべてのフォルダのフォルダ内ファイル数を取得するファイル数取得手段と、
前記ファイル数取得手段が取得した各フォルダ内ファイル数に基づいて、各フォルダの再生順を設定する再生順設定手段と、
前記再生順設定手段が設定した各フォルダの再生順に従ってフォルダ毎に、前記複数のファイルのデータを再生する再生手段と、を備えたことを特徴とする。
【０００８】
前記フォルダ取得手段が取得したすべてのフォルダと前記ファイル数取得手段が取得したすべてのフォルダのフォルダ内ファイル数とを記憶するための記憶手段を備えてもよい。
【０００９】
本発明の第２の観点に係る再生装置は、
複数の記録情報がグループ毎にグループ化されて記録された記録媒体から、前記記録情報を読み出し、読み出した記録情報を再生する再生装置において、
前記記録媒体のすべてのグループを取得するグループ取得手段と、
前記グループ取得手段が取得したすべてのグループのグループ内記録情報数を取得する記録情報数取得手段と、
前記記録情報数取得手段が取得した各グループ内記録情報数に基づいて、各グループの再生順を設定する再生順設定手段と、
前記再生順設定手段が設定した各グループの再生順に従ってグループ毎に、前記複数の記録情報を再生する再生手段と、を備えたことを特徴とする。
【００１０】
本発明の第３の観点に係る再生装置のデータ再生方法は、
複数のファイルがフォルダ毎にグループ化されて記録された記録媒体から、前記ファイルのデータを読み出し、読み出したファイルのデータを再生する再生装置において、
前記記録媒体のすべてのフォルダを取得するステップと、
取得したすべてのフォルダのフォルダ内ファイル数を取得するステップと、
取得したフォルダ内ファイル数に基づいて各フォルダの再生順を設定するステップと、
設定した各フォルダの再生順に従ってフォルダ毎に、前記複数のファイルのデータを再生するステップと、を備えたことを特徴とする。
【００１１】
本発明の第４の観点に係るプログラムは、
コンピュータに、
複数のファイルがフォルダ毎にグループ化されて記録された記録媒体から、すべてのフォルダを取得する手順、
取得したすべてのフォルダのフォルダ内ファイル数を取得する手順、
取得したフォルダ内ファイル数に基づいて、各フォルダの再生順を設定する手順、
設定した各フォルダの再生順に従ってフォルダ毎に、前記複数のファイルのデータを再生する手順、
を実行させるためのものである。
【発明の効果】
【００１２】
本発明によれば、グループに関する情報を容易に把握できるようになる。
【発明を実施するための最良の形態】
【００１３】
以下、本発明の実施の形態に係る再生装置を図面を参照して説明する。
本発明の実施の形態に係る再生装置の構成を図１に示す。
この再生装置１００は、図１に示すように、スピンドルモータ２と、光ピックアップ３と、送りモータ４と、記録ヘッド５と、ヘッドドライバ６と、ＲＦ（Radio Frequency）アンプ７と、ディジタル信号処理回路８と、システムコントローラ９と、操作部１０と、表示部１１と、バッファメモリ１２とから構成される。
【００１４】
ディスク１は、ミニディスクといった、記録データの書き換えが可能なものであり、ディスク１には、記録データとして、楽曲データ等が記録されている。
ディスク１の記録エリアは、図２に示すように、リードインエリアと、Ｕ−ＴＯＣ（User's Table Of Contents）領域と、プログラムエリアと、リードアウトエリアと、からなる。
【００１５】
リードインエリアは、データの読み出しを開始する領域である。
Ｕ−ＴＯＣ領域は、プログラムエリアに記録された楽曲データを管理するための情報等を記録する領域である。
プログラムエリアは、楽曲データ等の楽曲データを記録する領域である。
リードアウトエリアは、データの読み出しを終了させるための領域である。
グループ情報は、タイトルデータとともに、Ｕ−ＴＯＣ（又はＴＯＣ）領域に記録される。
【００１６】
Ｕ−ＴＯＣ領域に記録されているグループ情報の一例を図３に示す。
Ｕ−ＴＯＣ領域には、図３（ａ）に示すような形式でグループ情報に関するデータが記録される。このデータは、図３（ｂ）に示すグループ情報を示している。即ち、グループ情報は、グループ番号（グループＮｏ）と、グループ名と、トラック番号（ＴＮｏ）と、グループ内トラック番号（ＧＴＮｏ）と、からなる。
【００１７】
例えば、グループＮｏ１の場合、グループ名は、「Ａｌｂｕｍ１」であり、グループＮｏ１には、７つのトラックが含まれている。楽曲データは、トラック毎に記録される。各トラックにはＴＮｏ１〜７が付与され、グループ内の各トラックには、それぞれ、ＧＴＮｏ１〜７が付与されている。スタートＴｎｏは１であり、エンドＴｎｏは７である。
【００１８】
図１に戻り、スピンドルモータ２は、ディジタル信号処理回路８に制御されて、ターンテーブルやクランプ機構にて保持するディスク１を、所定の回転速度で回転駆動する。
【００１９】
光ピックアップ３は、ディスク１にレーザ光を照射して楽曲データ等の記録データの記録／再生を可能とするためのものである。より詳細には、光ピックアップ３は、データをディスク１に記録する際、ディスク１の記録トラックをキュリー温度まで加熱する高レベルのレーザ光を出力する。また、光ピックアップ３は、記録データをディスク１から再生する際、磁気カー効果を利用して受けた反射光によりデータ信号を検出可能とする低レベルのレーザ光を出力する。光ピックアップ３は、検出したデータ信号をＲＦアンプ７に送る。
【００２０】
送りモータ４は、ディジタル信号処理回路８の制御により、ディスク１の半径方向に、光ピックアップ３を移動させるためのものである。
【００２１】
記録ヘッド５は、データを書き込むためのものであり、ディスク１を挟んで光ピックアップ３と対向する位置に配置され、ヘッドドライバ６から受けた駆動信号に応じた磁界を生成し、ディスク１に印加する。
【００２２】
ヘッドドライバ６は、ディジタル信号処理回路８によりエンコード処理が施されたデータを受け、記録ヘッド５を駆動するための駆動信号を生成するためのものであり、生成した駆動信号を記録ヘッド５に供給する。
【００２３】
ＲＦアンプ７は、光ピックアップ３が検出した信号に基づいた演算処理等を実行することにより、データ信号である再生ＲＦ信号、トラッキングエラー（ＴＥ）信号、フォーカスエラー（ＦＥ）信号、及びディスク１にプリグルーブとして記録されている絶対位置（ＡＤＩＰ；ADdress In Pregroove）情報といったグルーブ情報等を抽出するものである。ＲＦアンプ７は、抽出した各種の信号、情報をディジタル信号処理回路８に送る。
【００２４】
ディジタル信号処理回路８は、ＲＦアンプ７が抽出した信号に基づいて送りモータ４を制御する。そして、ディジタル信号処理回路８は、ＡＤＣ（Analog-to-Digital Converter）から楽曲データ等を入力してエンコード処理を施し、生成したデータをヘッドドライバ６に供給したり、ＲＦアンプ７から供給された信号を処理して楽曲データ等を再生し、再生した楽曲データ等をＤＡＣ（Digital-to-Analog Converter）等に出力したりする。
【００２５】
システムコントローラ９は、マイクロプロセッサ等から構成され、ディジタル信号処理回路８、操作部１０、表示部１１を制御する。
【００２６】
操作部１０は、プッシュスイッチ、キーパッド等から構成され、ユーザの操作により、ユーザデータの記録／再生の開始や停止を指示する指示情報をシステムコントローラ９に入力するためのものである。
【００２７】
表示部１１は、ＬＣＤ（Liquid Crystal Display）パネル等から構成され、システムコントローラ９の制御により、再生時間、トラック番号、録音モード、レベル、グループ内の曲数等を表示するものである。尚、操作部１０は、表示部１１に表示されたグループ情報の表示を切り替えるキーを備えている。
バッファメモリ１２は、半導体等で構成されたメモリであり、ディスク１のＵ−ＴＯＣ領域から読み出したグループ情報を記憶する。
【００２８】
次に、本実施の形態に係る再生装置１００の動作を説明する。
ターンテーブル等にディスク１が搭載されると、スピンドルモータ２は、ディスク１を回転させる。ディスク１が回転すると、システムコントローラ９は、ディジタル信号処理回路８にＵ−ＴＯＣ情報の読み出しを指示し、ディスク１のＵ−ＴＯＣ領域からＵ−ＴＯＣ情報を読み出す。そして、システムコントローラ９は、取得したＵ−ＴＯＣ情報に基づいてユーザエリアの記録データの構成を特定する。
【００２９】
こののち、操作部１０から再生を開始する旨の指示が入力されると、システムコントローラ９は、Ｕ−ＴＯＣ情報から特定した記録データの構成に応じてディジタル信号処理回路８の動作を制御し、ディスク１に記録された記録データの再生を開始する。
【００３０】
ディジタル信号処理回路８は、スピンドルモータ２を駆動してディスク１を回転させ、送りモータ４により、光ピックアップ３を記録データの読出位置まで移動させる。光ピックアップ３は、レーザ光をディスク１に照射して戻り光を検出し、電気信号に変換してＲＦアンプ７に送る。
【００３１】
ＲＦアンプ７は、光ピックアップ３から受けた信号に基づいた演算処理等を実行し、データ信号である再生ＲＦ信号、トラッキングエラー信号、フォーカスエラー信号等を抽出する。ＲＦアンプ７は、抽出した各種の信号をディジタル信号処理回路８に送る。
【００３２】
ディジタル信号処理回路８は、ＲＦアンプ７から受けた信号をデコードするなどの所定の処理を実行し、再生した楽曲データ等を適宜ＤＡＣ等に出力する。
【００３３】
また、システムコントローラ９は、図４に示すフローチャートに従ってグループ情報の読み出し処理を実行する。
【００３４】
システムコントローラ９は、読み込んだＵ−ＴＯＣ情報から、図３（ａ）に示すようなグループ情報に関するデータがあるかどうかを判定する（ステップＳ１１）。
グループ情報に関するデータが記録されてない場合、システムコントローラ９は、この処理を終了させ、表示部１１にグループ内曲数を表示せずに通常の制御を行う。
【００３５】
グループ情報に関するデータが記録されている場合、システムコントローラ９は、このデータを読み込み（ステップＳ１２）、読み込んだデータから、図３（ｂ）に示すグループ情報を、所定のルールに従って抽出する（ステップＳ１３）。
前述のように、このグループ情報は、グループ番号（グループＮｏ）と、グループ名と、トラック番号（ＴＮｏ）と、グループ内トラック番号（ＧＴＮｏ）と、からなる。
【００３６】
システムコントローラ９は、抽出したグループ情報からグループのスタートＴｎｏ、エンドＴｎｏを取得し、スタート、エンドのネームポインタを取得する（ステップＳ１４）。
【００３７】
システムコントローラ９は、取得したこれらの情報をバッファメモリ１２に書き込む（ステップＳ１５）。
【００３８】
次に、ディスク１に記録された楽曲データの再生中、又はグループサーチ中において、操作部１０に曲数表示を要求するキー入力があった場合、システムコントローラ９は図５に示すフローチャートに従って表示処理を実行する。
【００３９】
まず、システムコントローラ９は、バッファメモリ１２から、グループ情報等の読み込みを行う（ステップＳ１６）。
システムコントローラ９は、グループ情報を解析し、次の数式１を用いてグループ解析情報としてのグループ内曲数を求める（ステップＳ１７）。
（数１）
Ｃ＝ＥＴｎｏ−（ＳＴｎｏ−１）
但し、ＥＴｎｏ：エンドトラック番号
ＳＴｎｏ：スタートトラック番号
そして、システムコントローラ９は、求めたグループ内曲数を表示部１１に表示させる（ステップＳ１８）。
【００４０】
次に、表示例について説明する。
表示部１１は、システムコントローラ９が求めたグループ内曲数を、他のグループ情報とともに表示する。
例えば、表示部１１は、図６（ａ）に示すように、グループ内曲数を、グループ番号及びグループ名とともに表示する。
【００４１】
グループ名がない場合、表示部１１は、図６（ｂ）に示すように、グループ番号とグループ内曲数とを表示する。グループ番号がない場合、表示部１１は、図６（ｃ）に示すようにグループ名とグループ内曲数とを表示する。
【００４２】
尚、キー１０ａは、操作部１０に備えられたキーであり、表示部１１に表示されたグループ情報の表示をスクロールするためのキーである。キー１０ａが下方向に押されると、表示部１１は、表示を下方向にスクロールする。尚、表示順は、昇順又は降順のどちらでもよい。表示順が昇順の場合、表示を下方向にスクロールすると、表示部１１は、現在、表示されているグループ情報の表示を、次のグループ情報の表示に切り替える。キー１０ａが上方向に押されると、表示部１１は、表示を上方向にスクロールし、現在、表示されているグループ情報の表示を、１つ前のグループ情報の表示に切り替える。
【００４３】
図７（ａ）に示すように、グループ内曲数を、グループ番号、グループ名、グループ内トラック番号及びトラック名とともに表示させることもできる。この場合、グループ内曲数を分数形式で表示せずに、グループ内トラック番号をグループ内曲数とは別に表示させる。
【００４４】
グループ名がない場合、表示部１１は、図７（ｂ）に示すように、グループ番号と、グループ内曲数と、グループ内トラック番号と、トラック名と、を表示する。
【００４５】
トラック名がない場合、表示部１１は、図７（ｃ）に示すように、グループ番号と、グループ名と、グループ内曲数と、グループ内トラック番号と、を表示する。
【００４６】
グループ名及びトラック名がない場合、表示部１１は、図７（ｄ）に示すように、グループ番号と、グループ内曲数と、グループ内トラック番号と、を表示する。
【００４７】
そして、キー１０ａが下方向に押されると、表示部１１は、表示を下方向にスクロールし、キー１０ａが上方向に押されると、表示を上方向にスクロールする。
【００４８】
前後のグループ内曲数及びグループ情報を表示することもできる。例えば、図８（ａ）に示すように、表示部１１は、前後のグループ番号と、前後のグループ名と、前後のグループ内曲数と、を表示する。
【００４９】
グループ名がない場合、表示部１１は、図８（ｂ）に示すように、前後のグループ番号と前後のグループ内曲数とを表示する。グループ番号がない場合、表示部１１は、図８（ｃ）に示すように、前後のグループ名と前後のグループ内曲数とを表示する。
キー１０ａが上下方向に押されると、表示部１１は、表示を、それぞれ、上下方向にスクロールする。
【００５０】
図９（ａ）に示すように、グループ内曲数を、現在、再生中のグループ内トラック番号の分母にして分数形式で表示することもできる。
【００５１】
グループ名がない場合、表示部１１は、図９（ｂ）に示すように、グループ番号と、トラック名と、グループ内トラック番号／グループ内曲数とを表示する。グループ番号がない場合、表示部１１は、図９（ｃ）に示すように、グループ名と、トラック名と、グループ内トラック番号／グループ内曲数と、を表示する。また、グループ名及びトラック名がない場合、表示部１１は、図９（ｄ）に示すように、グループ番号と、グループ内トラック番号／グループ内曲数と、を表示する。
【００５２】
そして、キー１０ａが上下方向に押されると、表示部１１は、表示を、それぞれ、上下方向にスクロールする。このように、グループ内曲数を分母にして表示すると、残り曲数等の把握が容易となる。
【００５３】
以上説明したように、本実施の形態によれば、グループ情報を解析した結果のグループ内曲数を、楽曲データの再生中、又はグループサーチ中に表示させるようにしたので、グループ情報を把握しやすくなる。
【００５４】
また、グループサーチをする場合に、グループ内曲数を表示すれば、ユーザがグループタイトルの情報等を入力していなくともグループの情報を容易に得ることができる。従って、グループサーチをする場合の参考となり、非常に便利である。
【００５５】
加えて、再生中である場合に、グループ番号、グループ内トラック番号、グループ名、グループ内曲数等を表示させることで、グループの管理機能が使いやすくなる。
【００５６】
尚、本発明を実施するにあたっては、種々の形態が考えられ、上記実施の形態に限られるものではない。
【００５７】
記録媒体は、ＭＤに限られるものではなく、ＣＤ（Compact Disk）、ＤＶＤ（Digital Versatile Disk）、ＭＯ（Magneto Optical disk）であってもよい。
【００５８】
グループ解析情報は、グループ内曲数等に限られるものではなく、例えば、グループのトータルの再生時間、残り時間、グループ数等であってもよい。
【００５９】
グループ内曲数を、グループ情報を抽出する際に求めておくこともできる。このようにすれば、再生の際、すべてのグループの曲数が分かっているので、曲数の多い順、あるいは曲数の少ない順に、グループの再生順を設定し、その再生順に楽曲データを再生し、曲数を表示することができる。
【００６０】
この動作を、図１０、図１１に示す。
図１０に示すように、システムコントローラ９は、Ｕ−ＴＯＣ情報を読み込み、グループ情報を抽出する際に曲数を求めておき（ステップＳ２５）、求めた曲数を曲数情報としてバッファメモリ１２に記憶しておく（ステップＳ２６）。そして、再生の際、図１１に示すように、システムコントローラ９は、曲数の多い順、あるいは曲数の少ない順に、グループの再生順を設定し（ステップＳ２９）、その再生順に、グループ毎に楽曲データを再生し、グループ情報抽出の際に求めた曲数を表示する（ステップＳ３０）。
【００６１】
また、ソリッドメディア、ディスクメディア等に記憶された、フォルダで構成されているＰＣ（パーソナルコンピュータ）形式（例えば、ＭＰ３：MPEG Audio Layer-3）の音楽データを再生する場合にも、本実施の形態を適用できる。
【００６２】
その動作を図１２に示す。この場合、システムコントローラは、メディア内を検索し（ステップＳ３１）、メディア内のすべてのフォルダ数を取得し（ステップＳ３２）、フォルダ内ファイル数を取得する（ステップＳ３３）。そして、取得した情報をバッファメモリに読み込む（ステップＳ３４）。このようにして、いつでもこれらの情報を読み出せるようにしておく。そして、ファイル数の表示要求があった場合（ステップＳ３５）、システムコントローラは、このファイル数を表示部に表示させる（ステップＳ３６）。
【００６３】
尚、コンピュータを、再生装置の全部又は一部として動作させ、あるいは、上述の処理を実行させるためのプログラムを、フレキシブルディスク、ＣＤ−ＲＯＭ（Compact Disk Read-Only Memory）、ＤＶＤなどのコンピュータ読み取り可能な記録媒体に格納して配布し、これをコンピュータにインストールし、上述の手段として動作させ、あるいは、上述の工程を実行させてもよい。
【図面の簡単な説明】
【００６４】
【図１】本発明の実施の形態に係る再生装置の構成を示すブロック図である。
【図２】図１のディスクに記録されるデータの構造を示す説明図である。
【図３】Ｕ−ＴＯＣ領域に記録されているグループ情報の内容を示す説明図である。
【図４】図１のシステムコントローラのグループ情報の読み込み処理を示すフローチャートである。
【図５】図１のシステムコントローラのグループ情報の表示処理を示すフローチャートである。
【図６】表示例１を示す説明図である。
【図７】表示例２を示す説明図である。
【図８】表示例３を示す説明図である。
【図９】表示例４を示す説明図である。
【図１０】図１のシステムコントローラの別のグループ情報の読み込み処理を示すフローチャートである。
【図１１】図１のシステムコントローラの別のグループ情報の表示処理を示すフローチャートである。
【図１２】ＰＣ形式の音楽データを再生する場合の処理を示すフローチャートである。
【符号の説明】
【００６５】
１    ディスク
２    スピンドルモータ
３    光ピックアップ
４    送りモータ
５    記録ヘッド
６    ヘッドドライバ
７    ＲＦアンプ
８    ディジタル信号処理回路
９    システムコントローラ
１０    操作部
１１    表示部
１００    再生装置
【図１】
2006190465.tif 000003
【図２】
2006190465.tif 000004
【図３】
2006190465.tif 000005
【図４】
2006190465.tif 000006
【図５】
2006190465.tif 000007
【図６】
2006190465.tif 000008
【図７】
2006190465.tif 000009
【図８】
2006190465.tif 000010
【図９】
2006190465.tif 000011
【図１０】
2006190465.tif 000012
【図１１】
2006190465.tif 000013
【図１２】
2006190465.tif 000014